(57)【要約】      （修正有）【課題】紙製シートにより形成され、パンフレットやハガキ等の紙葉類を、家具の天板等の載置面に対して起立した状態で支持するための紙葉類立てを提供する。【解決手段】背板部本体２１とこの背板部本体２１を載置面に対して起立可能に支持する脚２２とを有した背板部２と、この背板部２の下縁２１ａから前側に連設され紙葉類を支持する紙葉類支持部３とを備える。さらに、紙葉類支持部３が、前記背板部２の下縁２１ａから連設された底壁と、この底壁の前縁から立設され中央部分が切り欠かれてなる前壁３２と、この前壁３２の左右両側縁３２ａからそれぞれ後ろ側に連設された左右の側壁３３と、これら左右の側壁３３から内方にそれぞれ連設された後壁３４とを備え、前記後壁３４に片状の係合片３４１を形成し、当該係合片３４１を前記背板部２に係り合わせる。【選択図】図２
0003181553.tif 000002
【実用新案登録請求の範囲】
【請求項１】
紙製シートにより形成され、紙葉類を天板等の載置面に対して起立した状態で支持するための紙葉類立てであって、
背板部本体とこの背板部本体を前記載置面に対して起立可能に支持する脚とを有した背板部と、この背板部の下縁から前側に連設され紙葉類を支持する紙葉類支持部とを備えてなり、
前記紙葉類支持部が、前記背板部の下縁から連設された底壁と、この底壁の前縁から立設され中央部分が切り欠かれてなる前壁と、この前壁の左右両側縁からそれぞれ後ろ側に連設された左右の側壁と、これら左右の側壁から内方にそれぞれ連設された後壁とを備えてなり、
前記後壁に片状の係合片を形成し、当該係合片を前記背板部に係り合わせていることを特徴とする紙葉類立て。
【請求項２】
紙製シートにより形成され、紙葉類を天板等の載置面に対して起立した状態で支持するための紙葉類立てであって、
背板部本体とこの背板部本体を前記載置面に対して起立可能に支持する脚とを有した背板部と、この背板部の下縁から前側に連設され紙葉類を支持する紙葉類支持部とを備えてなり、
前記紙葉類支持部が、前記背板部の下縁から連設された底壁と、この底壁の前縁から立設され中央部分が切り欠かれてなる前壁と、この前壁の左右両側縁からそれぞれ後ろ側に連設された左右の側壁と、これら左右の側壁から内方にそれぞれ連設された後壁とを備えてなり、
前記背板部に片状の係合片を形成し、当該係合片を前記後壁に係り合わせていることを特徴とする紙葉類立て。
【請求項３】
前記係合片を前記背板部又は前記後壁に形成された窓枠に係り合わせるようにしている請求項１又は２記載の紙葉類立て。
【請求項４】
前記左右の後壁の幅寸法が、正面視において前記脚に及ばない寸法に設定されている請求項１、２又は３記載の紙葉類立て。
【請求項５】
前記係合片が、前記後壁に波型のスリットを形成することにより設けられたものである請求項１、２、３又は４記載の紙葉類立て。
【請求項６】
前記背部材本体の上縁から延設され広告等を表示可能な表示部を備えている請求項１、２、３、４又は５記載の紙葉類立て。
【請求項７】
前記表示部がミシン目を介して部分的に切り取り可能に構成している請求項６記載の紙葉類立て。
【考案の詳細な説明】
【技術分野】
【０００１】
本考案は、紙製シートにより形成され、パンフレットやハガキや冊子等の種々の紙葉類を、家具の天板等の載置面に対して起立した状態で支持するための紙葉類立てに関する。
【背景技術】
【０００２】
従来から、この種の紙葉類立てとして、種々のものが知られている（例えば特許文献１参照）。
【０００３】
ところで、このような紙葉類立ての構成の一例として、背板部本体とこの背板部本体を前記載置面に対して起立可能に支持する脚とを有した背板部と、この背板部の下縁から前側に連設され紙葉類を支持する紙葉類支持部とを備えてなり、この紙葉類支持部が、前記背板部の下縁から連設された底壁と、この底壁の前縁から立設され中央部分が切り欠かれてなる前壁と、この前壁の左右両側縁からそれぞれ後ろ側に連設された左右の側壁とを備え、前記左右の側壁により紙葉類を抱くように保持する構成のものが考えられる。
【０００４】
しかして、この紙葉類立てに保持された紙葉類は、前記左右の前壁の切り欠き部分を介して外部に露出しているが、この紙葉類をより多く外部に露出させるべく、左右両端部及び下端部を除いて残りの部分を切り欠き部分とすることが考えられている。ところが、このように切り欠き部分を大きく形成すると、前壁の左右両端部はその下端部で当該前壁の下端部と接続されているのみであり、接続部分が小さいので、この前壁の左右両端部、及び左右の側壁がぐらつきやすいという不具合が発生しうる。そのため、前記前壁の左右両端部、及び左右の側壁を安定して紙葉類立ての他の部分に保持させるための構成を実現することが求められている。
【先行技術文献】
【特許文献】
【０００５】
【特許文献１】実用新案登録第３１６４１９９号公報
【考案の概要】
【考案が解決しようとする課題】
【０００６】
本考案は、このような課題に着目してなされたものであって、紙葉類支持部の前壁及び左右の側壁により紙葉類を抱くように保持する構成の紙葉類立てにおいて、これら前壁及び左右の側壁を安定して紙葉類立ての他の部分に保持させるための構成を実現することを目的としている。
【課題を解決するための手段】
【０００７】
以上の課題を解決すべく、本考案に係る紙葉類立ては、以下に述べるような構成を有する。すなわち本考案に係る紙葉類立ての一つは、紙製シートにより形成され、紙葉類を天板等の載置面に対して起立した状態で支持するための紙葉類立てであって、背板部本体とこの背板部本体を前記載置面に対して起立可能に支持する脚とを有した背板部と、この背板部の下縁から前側に連設され紙葉類を支持する紙葉類支持部とを備えてなり、前記紙葉類支持部が、前記背板部の下縁から連設された底壁と、この底壁の前縁から立設され中央部分が切り欠かれてなる前壁と、この前壁の左右両側縁からそれぞれ後ろ側に連設された左右の側壁と、これら左右の側壁から内方にそれぞれ連設された後壁とを備えてなり、前記後壁に片状の係合片を形成し、当該係合片を前記背板部に係り合わせている。
【０００８】
また、本考案に係る紙葉類立ての他の一つは、紙製シートにより形成され、紙葉類を天板等の載置面に対して起立した状態で支持するための紙葉類立てであって、背板部本体とこの背板部本体を前記載置面に対して起立可能に支持する脚とを有した背板部と、この背板部の下縁から前側に連設され紙葉類を支持する紙葉類支持部とを備えてなり、前記紙葉類支持部が、前記背板部の下縁から連設された底壁と、この底壁の前縁から立設され中央部分が切り欠かれてなる前壁と、この前壁の左右両側縁からそれぞれ後ろ側に連設された左右の側壁と、これら左右の側壁から内方にそれぞれ連設された後壁とを備えてなり、前記背板部に片状の係合片を形成し、当該係合片を前記後壁に係り合わせている。
【０００９】
これらのようなものであれば、前記左右の側壁にそれぞれ連設された後壁と前記背板部とが前記係合片を介して係り合っているので、前記後壁及び前記係合片を介して前記前壁及び左右の側壁が安定して前記背板部に保持される。
【００１０】
簡単な構成により、より安定して前記後壁、前記左右の側壁及び前記前壁を前記背板部に保持させるには、前記係合片を前記背板部又は前記後壁に形成された窓枠に係り合わせるようにするのが望ましい。
【００１１】
前記背板部の脚を容易に形成できるようにするための構成として、前記左右の後壁の幅寸法が、正面視において前記脚に及ばない寸法に設定されているものが挙げられる。このようなものであれば、左右の後壁間に脚となるべき部位が位置しているので、背板部からこの脚となるべき部位を後方に切り起こして脚を形成することができるからである。
【００１２】
前記係合片の構成の一例として、前記後壁に波型のスリットを形成することにより設けられたものが挙げられる。
【００１３】
この紙葉類立てを広告媒体等として有効に利用できるようにするための構成として、前記背部材本体の上縁から延設され広告等を表示可能な表示部を備えているものが挙げられる。
【００１４】
前記表示部の見栄えを整えるための構成として、前記表示部をミシン目を介して部分的に切り取り可能に構成しているものが挙げられる。
【考案の効果】
【００１５】
以上説明したように本考案によれば、紙葉類支持部の左右の側壁により紙葉類を抱くように保持する構成の紙葉類立てにおいて、これら左右の側壁を安定して紙葉類立ての他の部分に保持させるための構成を実現することができる。
【図面の簡単な説明】
【００１６】
【図１】本考案の一実施形態に係る紙葉類立てを示す斜視図。
【図２】同実施形態に係る紙葉類立てを示す斜視図。
【図３】図２におけるＡ−Ａ断面図。
【図４】図３におけるＢ−Ｂ断面図。
【図５】同実施形態に係る紙葉類立てを示す展開図。
【図６】同実施形態に係る紙葉類立ての組立の手順を示す図。
【図７】同実施形態に係る紙葉類立ての組立の手順を示す図。
【図８】同実施形態に係る紙葉類立ての組立の手順を示す図。
【図９】同実施形態に係る紙葉類立ての他の使用態様を示す斜視図。
【図１０】本考案の他の実施形態に係る紙葉類立てを示す展開図。
【図１１】同実施形態に係る紙葉類立てを示す斜視図。
【考案を実施するための形態】
【００１７】
本考案の一実施形態を図１〜図９を参照しつつ以下に示す。
【００１８】
本実施形態に係る紙葉類立て１は、紙製シートにより形成され、図１及び図２に示すように、紙葉類を天板等の載置面に対して起立した状態で支持するためのものであって、背板部本体２１及びこの背板部本体２１を前記載置面に対して起立可能に支持する脚２２を有した背板部２と、この背板部２の下縁から前側に連設され紙葉類を支持する紙葉類支持部３と、前記背板部２の背板部本体２１の上縁から延設され広告等を表示可能な表示部４とを備えている。
【００１９】
前記背板部２は、図１〜図４に示すように、支持されるべき紙葉類に対応する形状、例えば矩形状をなす板状の部材である。前記脚２２は、この背板部２に予め設けたミシン目２ａに沿って切断されることにより外周部が形成され、背板部本体２１との境界２２ａに沿って折り曲げられて後方に切り起こされることにより形成され、下端が接地する脚本体２２１と、同じく背板部２に予め設けたミシン目２ｂに沿って切断されることにより外周部が形成され、背板部本体２１との境界２２ｂに沿って折り曲げられて後方に切り起こされることにより形成され下縁部に設けた切欠き部２２２ａが前記脚本体２２１に設けたスリット２２３の下縁に係り合う脚支持部２２２とを有する。なお、図３及び図４においては、わかりやすくするために、この背板部２、前記紙葉類支持部３及び前記表示部４を構成する紙製シートの厚さ寸法を実際より大きく示している。
【００２０】
前記紙葉類支持部３は、図１〜図４に示すように、前記背板部２の下縁、より具体的には背板部本体２１の下縁２１ａから連設された底壁３１と、この底壁３１の前縁３１ａから立設され中央部分が切り欠かれてなる前壁３２と、この前壁３２の左右両側縁３２ａ、３２ａからそれぞれ後ろ側に連設された左右の側壁３３と、これら左右の側壁３３の後縁３３ａから内方にそれぞれ連設された後壁３４とを備えてなる。前記底壁３１は、前記背板部本体２１の下縁２１ａから前方に延伸しており、前記背板部本体２１の幅寸法と同一の幅寸法を有する。前記前壁３２は、前記底壁３１の前縁３１ａから起立しており、中央部分、さらに具体的には左右両端部及び下端部を除く大部分が紙葉類を外部に露出させるための切り欠き部分３２ｘである。この前壁３２は、紙葉類を保持させた状態で紙葉類の下縁部及び左右両側縁部と対向している。また、この前壁３２も、前記背板部本体２１の幅寸法と同一の幅寸法を有する。前記側壁３３は、前記前壁３２の左右両側縁３２ａ、３２ａからそれぞれ後方に突出しており、前記前壁３２と同一の高さ寸法及び前記底壁３１と同一の奥行き寸法を有する。前記後壁３４は、前記側壁３３の後縁３３ａからそれぞれ内方に突出しており、前記前壁３２及び側壁３３と同一の高さ寸法を有する。これら後壁３４の幅寸法は、正面視において前記脚２２に及ばない寸法に設定している。すなわち、左右の後壁３４の内側端３４ａ、３４ａの間に前記脚２２が位置するように左右の後壁３４の幅寸法を設定している。
【００２１】
しかして本実施形態では、図２〜図４に示すように、この後壁３４に設けた片状の係合片３４１と、前記背板部２の背板部本体２１に形成した窓枠２１ｘとを係り合わせることにより、これら後壁３４と背板部本体２１とを、すなわち紙葉類支持部３と背板部２とを互いに位置決めするようにしている。前記係合片３４１は、図５〜図７に示すように、前記後壁３４に波型のスリット３４ｓを形成することにより設けられたものであり、このスリット３４ｓに沿って後方に切り起こされた状態でその下部が前記窓枠２１ｘの下縁に係り合う。
【００２２】
前記表示部４は、上述したように前記背板部２の背板部本体２１の上縁から延設され、その表面に印刷等の方法により広告等を表示可能である。
【００２３】
ここで、この紙葉類立て１は、図５に示すような１枚のシート体Ｓを以下に示すような手順で折り曲げることにより形成される。まず、前壁３２となるべき部位と側壁３３となる部位との境界に設けた折り筋Ｌ３、Ｌ４、及び側壁３３となるべき部位と後壁３４となるべき部位との境界に設けた折り筋Ｌ５、Ｌ６に沿ってシート体Ｓを、図６に示すように順次９０度ずつ同一方向に折り曲げる。次いで、前壁３２となるべき部位と底壁３１となるべき部位との境界に設けた折り筋Ｌ２、及び底壁３１となるべき部位と背板部２となるべき部位との境界に設けた折り筋Ｌ１に沿ってシート体Ｓを、図７に示すように順次９０度ずつ同一方向に折り曲げる。それから、後壁３４の係合片３４１を前記スリット３４ｓに沿って切り起こし、この係合片３４１の下端部を図８に示すように前記背板部２の窓枠２１ｘの下縁に係り合わせる。そして、前記脚２２の脚本体２２１及び脚支持部２２２をミシン目２ａ、２ｂに沿って切り取った後、背板部本体２１との境界に設けた折り筋Ｌ７、Ｌ８に沿って後方に切り起こし、脚本体２２１のスリット２２３に脚支持部２２２を挿し通して該脚支持部２２２の下縁の切欠き部２２２ａを前記脚本体２２１のスリット２２３の下縁に係り合わせる。
【００２４】
そして、背板部２の上方の部分をミシン目４ａに沿って切り取ることにより、表示部４を背板部２の上方に形成する。このような操作を行うことによって、図１及び図２に示すような使用状態となる。
【００２５】
なお、本実施形態では、前記ミシン目４ａを切り取らない状態においては、図９に示すように、前記表示部４と、その上方の部分とが合わせて紙葉類を被覆する蓋体５として機能する。この蓋体５は、上縁部中央に前記紙葉類支持部３の前壁３２と係り合う蓋係止片５１を有し、この蓋係止片５１を紙葉類支持部３の前壁３２と係り合わせることにより蓋体５が紙葉類を被覆することができる。この蓋係止片５１は、その中央部に吊り下げ孔５１ａを備えている。この吊り下げ孔５１ａは、その内部に壁面に取り付けたピン等を通過させた状態とすることにより、紙葉類立て１を壁面に吊り下げた状態に保持できるようにするためのものである。また、この紙葉類立て１は、前記蓋体５により紙葉類を被覆させた状態、すなわち蓋係止片５１と紙葉類支持部３の前壁３２とを係り合わせた状態で商品として流通するようにしている。そして、使用者がこの紙葉類立てを受け取った後は、前記蓋係止片５１と前記紙葉類支持部３の前壁３２とを係り合わせた状態を解除し、表示部４に施した印刷内容である広告、及び内部に収納された紙葉類の表面の印刷内容である広告を外部に露出させ、この紙葉類立て１をＰＯＰとして利用することができる。
【００２６】
以上に述べたように、本実施形態の構成によれば、紙葉類支持部３の左右の後壁３４と背板部２とが係合片３４１を介して係り合っているので、前記後壁３４及び前記係合片３４１を介して、紙葉類支持部３の前壁３２及び左右の側壁３３を安定して前記背板部２に保持させることができる。
【００２７】
また、前記係合片３４１を前記後壁３４に形成された窓枠２１ｘに係り合わせるようにしているので、簡単な構成により、より安定して前記後壁３４、前記左右の側壁３３及び前記前壁３２を前記背板部２に保持させることができる。
【００２８】
さらに、前記左右の後壁３４の幅寸法を、正面視において前記脚２２に及ばない寸法に設定しているので、左右の後壁３４間に脚２２が配されることとなり、背板部２からこの脚２２となるべき部位を後方に切り起こして脚２２を形成することができるので、脚２２を容易に形成することができる。
【００２９】
加えて、前記後壁３４に波型のスリット３４ｓを形成することにより前記係合片３４１を設けているので、角となる部分がないことから応力が集中する箇所がなく、従って強度を確保することができるとともに、このような係合片３４１を容易に形成できる。
【００３０】
さらに、前記背板部本体２１の上縁から延設され広告等を表示可能な表示部４を備えているので、この紙葉類立てを広告媒体等として有効に利用できる。
【００３１】
そして、前記表示部４をミシン目４ａを介して部分的に切り取り可能に構成しているので、前記表示部４の見栄えを整えることができる。
【００３２】
なお、本考案は上述した実施形態に限らない。
【００３３】
例えば、上述した実施形態では、紙葉類支持部の後壁に片状の係合片を形成し、当該係合片を背板部の窓枠に係り合わせるようにしているが、逆に、背板部に片状の係合片を形成し、当該係合片を紙葉類支持部の後壁に形成した窓枠に係り合わせるようにしてもよい。また、紙葉類支持部の後壁及び背板部の双方に片状の係合片を設け、これら係合片同士を係り合わせることにより、これら紙葉類支持部の後壁と背板部とを接続するようにしてもよい。
【００３４】
また、上述した実施形態では、紙葉類支持部の左右の後壁の高さ寸法を背板部及び側壁と同一とし、その幅寸法を正面視において前記脚に及ばない寸法に設定しているが、紙葉類支持部の左右の後壁を背板部の上半部にのみ対向するようにし、幅寸法を正面視において脚の上方に達するように設定する等、紙葉類支持部の左右の後壁の形状は任意に設定してよい。
【００３５】
さらに、上述した実施形態では、紙葉類支持部の後壁に波型のスリットを形成することにより係合片を設けているが、他の方法、例えば、紙葉類支持部の後壁にＵ字状のスリットを形成する等の方法により係合片を設けてもよい。
【００３６】
加えて、上述した実施形態では、背部材本体の上縁から広告等を表示可能な表示部を延設しているが、表示部は省略してもよく、また、表示部の形状は任意に設定してよい。例えば、展開図を図１０に示すようなシート体Ｓ２を折り曲げることにより図１１に示すような背板部と同一形状を有し蓋体Ａ５としての機能を有する表示部Ａ４を備えた紙葉類立てＡ１を形成してもよい。なお、図１０及び図１１に示した紙葉類立てＡ１は、表示部Ａ４の形状以外上述した実施形態に係る紙葉類立て１と同一の構成を有するので、前記紙葉類立てＡ１の各部位には上述した実施形態の紙葉類立て１に対応する各部位の符号の先頭にＡを追加した符号を付し、詳細な説明は省略する。
【００３７】
その他、本考案の趣旨を損ねない範囲で種々に変更してよい。
【符号の説明】
【００３８】
１…紙葉類立て
２…背板部
２１…背板部本体
２１ｘ…窓枠
２２…脚
３…紙葉類支持部
３１…底壁
３２…前壁
３３…側壁
３４…後壁
３４１…係合片
【図１】
0003181553.tif 000003
【図２】
0003181553.tif 000004
【図３】
0003181553.tif 000005
【図４】
0003181553.tif 000006
【図５】
0003181553.tif 000007
【図６】
0003181553.tif 000008
【図７】
0003181553.tif 000009
【図８】
0003181553.tif 000010
【図９】
0003181553.tif 000011
【図１０】
0003181553.tif 000012
【図１１】
0003181553.tif 000013